(57)【要約】【課題】既存の音響システムと楽器を連動させ、各スピーカーの音量バランス、及び／又は、ＥＱ調整を行うことができ、音響空間において演奏者にとって聴きやすい適切な音量バランス、及び／又は、ＥＱ調整が行う、楽器を用いた音響システムを提供する。【解決手段】マイクと音出力機能を設けた楽器と、音響空間の複数の適所に設置されたスピーカーと、スピーカーと接続され、楽器の音出力機能からの入力を含む複数のチャンネルをミキシング可能なＡＶアンプとを備え、楽器は複数のスピーカーに対してＡＶアンプを介して信号を供給し、複数のスピーカーの各々について音響レベルを測定する測定手段を備え、楽器において、音出力機能によるスピーカーからの音に対するマイクへの入力に応じて、楽器のある位置において最適な音の設定となるように楽器の音出力機能の音出力の音量バランス、及び／又は、ＥＱ調整を行う。【選択図】図２
2018010119.tif 000002
【特許請求の範囲】
【請求項１】
マイクと音出力機能を設けた楽器と、
音響空間の複数の適所に設置されたスピーカーと、
前記スピーカーと接続され、前記楽器の前記音出力機能からの入力を含む複数のチャンネルをミキシング可能なアンプと、を備え、
前記楽器は、前記複数のスピーカーに対して前記アンプを介してオーディオ信号を供給し、前記複数のスピーカーの各々について音響レベルを測定する測定手段を備え、
この楽器において、前記音出力機能による前記スピーカーからの音に対する前記マイクへの入力に応じて、該楽器のある位置において最適な音の設定となるように該楽器の前記音出力機能の音出力の音量バランス、及び／又は、ＥＱ調整を行う、楽器を用いた音響システム。
【請求項２】
前記楽器の前記音出力機能からの入力は、無線通信により行われることを特徴とする請求項１に記載の楽器を用いた音響システム。
【請求項３】
前記楽器、前記アンプのいずれか一以上に音源を備えたことを特徴とする請求項１又は請求項２に記載の楽器を用いた音響システム。
【請求項４】
前記楽器、及び／又は、前記アンプにチューニングボタンを設け、このチューニングボタンを押している間だけ各スピーカーの音量バランス、ＥＱ調整を行うことが可能な請求項１乃至請求項３のうちいずれか一に記載の楽器を用いた音響システム。
【請求項５】
前記楽器から各スピーカーの音量バランス、ＥＱ調整を行うための専用音を出力されることを特徴とする請求項１乃至請求項４のうちいずれか一に記載の楽器を用いた音響システム。
【請求項６】
楽器に設けた音出力機能からアンプに信号を出力する第一出力ステップと、
前記アンプで信号を受信する第一受信ステップと、
前記アンプからスピーカーにオーディオ信号を出力する出力ステップと、
前記楽器で前記複数のスピーカーの各々について音響レベルを測定する測定ステップと、からなり、
この楽器において、前記音出力機能による前記スピーカーからの音に対する前記マイクへの入力に応じて、該楽器のある位置において最適な音の設定となるように該楽器の前記音出力機能の音出力の音量バランス、及び／又は、ＥＱ調整を行う楽器を用いた音響方法。
【発明の詳細な説明】
【技術分野】
【０００１】
本発明は、ステレオ等の音響システムを利用して楽器を演奏する際に、音響空間において適切な音設定となるように各スピーカーの音量バランス、ＥＱ調整を行う、楽器を用いた音響システム、及び、その方法に関する。
【背景技術】
【０００２】
従来より、複数個のスピーカーを備えた音響装置システムにおいて、各スピーカーから聴取地点までの距離が互いに異なると、当該聴取地点において各スピーカーから発生した音を聴いたときに音量や位相などが異なってしまうため、端末装置で測定したスピーカーやリスナーの位置情報を用いて、音場を制御する技術が提案されている。
この技術に関しては、例えば、特開２０１３−１３８３０７号公報には、複数チャンネルのオーディオ信号に対して信号処理を施し複数のスピーカーにそれぞれ供給して、聴取地点での音場を制御する音場制御装置であって、端末装置によって測定された、前記複数のスピーカーの位置情報および前記聴取地点に応じた位置情報を、それぞれ記憶する位置情報記憶部と、前記位置情報記憶部に記憶された各位置情報に基づいて前記信号処理の内容を設定する音場設定部と、を具備することを特徴とする点が記載されている。
【先行技術文献】
【特許文献】
【０００３】
【特許文献１】特開２０１３−１３８３０７号公報
【発明の概要】
【発明が解決しようとする課題】
【０００４】
文献１に係る発明においては、高い精度で、かつ、簡易な構成で音場を制御することはできる。しかしながら、本発明のように既存の音響装置システムを利用し、この音響装置システムと楽器を連動させ、この楽器において、音出力機能によるスピーカーからの音に対するマイクへの入力に応じて、楽器のある位置において最適な音の設定となるように楽器の音出力機能の音出力の音量バランス、及び／又は、ＥＱ調整を行う、楽器を用いた楽器音響システム提供する従来例は存在しない。
【０００５】
そこで、本発明は従来例として存在しない、既存のステレオ等の音響システムと楽器を連動させ、音響空間において自動で各スピーカーの音量バランス、及び／又は、ＥＱ調整を行うことができる発明を提供することを目的とする。
【課題を解決するための手段】
【０００６】
前記目的を達成するため本願の請求項１に係る音響システムは、マイクと音出力機能を設けた楽器と、音響空間の複数の適所に設置されたスピーカーと、スピーカーと接続され、楽器の音出力機能からの入力を含む複数のチャンネルをミキシング可能なアンプと、を備え、楽器は、複数のスピーカーに対してアンプを介してオーディオ信号を供給し、複数のスピーカーの各々について音響レベルを測定する測定手段を備え、この楽器において、音出力機能によるスピーカーからの音に対するマイクへの入力に応じて、楽器のある位置において最適な音の設定となるように楽器の音出力機能の音出力の音量バランス、及び／又は、ＥＱ調整を行う、楽器を用いた音響システムであることを特徴とする。これにより、既存のステレオ等の音響システムと楽器を連動させ、各スピーカーの音量バランス、及び／又は、ＥＱ調整を行うことができ、音響空間において演奏者にとって聴きやすい適切な音量バランス、及び／又は、ＥＱ調整ができることを目的とする。
【０００７】
請求項２に係る楽器を用いた音響システムは、楽器の音出力機能からの入力は、無線通信により行われることを特徴とする請求項１に記載の楽器を用いた音響システムであることを特徴とする。これにより、楽器の操作性が良くなることを目的とする。
【０００８】
請求項３に係る楽器を用いた音響システムは、楽器、アンプのいずれか一以上に音源を備えたことを特徴とする請求項１又は請求項２に記載の楽器を用いた音響システムであることを特徴とする。これにより、各所に音源を備えることができることを目的とする。
【０００９】
請求項４に係る楽器を用いた音響システムは、楽器、及び／又は、アンプにチューニングボタンを設け、このチューニングボタンを押している間だけ各スピーカーの音量バランス、ＥＱ調整を行うことが可能な請求項１乃至請求項３のうちいずれか一に記載の楽器を用いた音響システムであることを特徴とする。これにより、各スピーカーの音量バランス、ＥＱ調整を行う際の操作性が良くなることを目的とする。
【００１０】
請求項５に係る楽器を用いた音響システムは、楽器から各スピーカーの音量バランス、ＥＱ調整を行うための専用音を出力されることを特徴とする請求項１乃至請求項４のうちいずれか一に記載の楽器を用いた音響システムであることを特徴とする。これにより、出力される専用音をマイクで収音することによって、各スピーカーの音量バランス、及び／又は、ＥＱ調整を行うことができ、音響空間において演奏者にとって聴きやすい適切な音量バランス、及び／又は、ＥＱ調整ができることを目的とする。
【００１１】
請求項６に係る楽器を用いた音響方法は、楽器に設けた音出力機能からアンプに信号を出力する第一出力ステップと、アンプで信号を受信する第一受信ステップと、アンプからスピーカーにオーディオ信号を出力する出力ステップと、楽器で複数のスピーカーの各々について音響レベルを測定する測定ステップと、からなり、この楽器において、音出力機能によるスピーカーからの音に対するマイクへの入力に応じて、楽器のある位置において最適な音の設定となるように楽器の音出力機能の音出力の音量バランス、及び／又は、ＥＱ調整を行う楽器を用いた音響方法であることを特徴とする。これにより、各スピーカーの音量バランス、及び／又は、ＥＱ調整を行うことができ、音響空間において演奏者にとって聴きやすい適切な音量バランス、及び／又は、ＥＱ調整がなされる。
【発明の効果】
【００１２】
請求項１に係る楽器を用いた音響システムでは、既存のステレオ等の音響システムと楽器を連動させ、各スピーカーの音量バランス、及び／又は、ＥＱ調整を行うことができ、音響空間において演奏者にとって聴きやすい適切な音量バランス、及び／又は、ＥＱ調整ができるものとする。
【００１３】
請求項２に係る楽器を用いた音響システムでは、楽器の操作性を良くすることができる。
【００１４】
請求項３に係る楽器を用いた音響システムでは、各所に音源を備えることができ便利である。
【００１５】
請求項４に係る楽器を用いた音響システムでは、各スピーカーの音量バランス、ＥＱ調整を行う際の操作性を良くすることができる。
【００１６】
請求項５に係る楽器を用いた音響システムでは、出力される専用音をマイクで収音することによって、各スピーカーの音量バランス、及び／又は、ＥＱ調整を行うことができ、音響空間において演奏者にとって聴きやすい適切な音量バランス、及び／又は、ＥＱ調整ができる。
【００１７】
請求項６に係る楽器を用いた音響方法では、既存のステレオ等の音響システムと楽器を連動させ、各スピーカーの音量バランス、及び／又は、ＥＱ調整を行うことができ、音響空間において演奏者にとって聴きやすい適切な音量バランス、及び／又は、ＥＱ調整ができる。
【図面の簡単な説明】
【００１８】
【図１】本発明の実施形態に係る楽器の一例である電子鍵盤楽器の斜視図である。
【図２】本発明の実施形態に係る車両内におけるスピーカー、タブレット端末等の配置を説明する模式的な平面図である。
【図３】本発明の実施形態に係る音響システム構成を示すフロー図である。
【図４】本発明の実施形態に係る楽器とタブレット端末を使用したシステム構成図である。
【図５】本発明の実施形態に係る音場制御装置の構成を示すブロック図である。
【発明を実施するための形態】
【００１９】
以下、本発明を具体化した実施形態に基づき、本発明に係る音響システムについて説明する。
先ず、本発明の実施形態に係る楽器を用いた音響システムについて、図１、図２等に基づき説明する。
【００２０】
本発明に係る楽器を用いた音響システムは、図１、図２に示すように、基本的には、楽器１００、タブレット端末１５、スピーカー１、ヘッドユニット１０（ＡＶアンプ等）、モニタ２０等から構成されている。
【００２１】
楽器１００は、図１で図示するような、筐体１０１をコンパクトにすることによって持ち運びが可能な電子鍵盤楽器とする。この楽器１００には、信号、音響データ等を出力するための送信部（不図示）が備えられている。
楽器１００とタブレット端末１５との間は、無線接続による無線通信がなされる。したがって、楽器１００とタブレット端末１５との間では、各種データ信号が無線で送受信がなされる。
【００２２】
楽器１００からの信号は、タブレット端末１５を経由してヘッドユニット１０に送信される。このタブレット端末１５に関しては、従来公知の技術であり、詳細な説明は避けるが、楽器１００からの信号を受信する受信部、ＣＰＵ、信号を出力する出力部等で構成される。タブレット端末１５とヘッドユニット１０との間は、有線接続による有線通信としている。
【００２３】
音響空間（室内）の複数個所には、スピーカー１が設置される。ここで、本発明における音響空間とは、図２で図示しているように、車両５０の音響空間、すなわち、車両５０の室内を想定している。これは、ドライブ等において、目的地によっては、運転者を含めた乗員は車両内空間で長時間を過ごす必要がある。運転者は運転に集中しなければいけない一方で、その他の乗員は移動中の時間を有効に活用したいと考えるのが通常である。また、近年は自動車の自動運転技術に関する研究開発が進展しており、運転者が運転から解放される日も遠い将来のことではない。目的地までの移動中の時間の有効活用は運転者も含めたすべての乗員にとっての関心事である。この時間の有効活用として、また移動中の車両５０内での充実した時間の過ごし方として、車両５０内で楽器１００の演奏を行うことが考えられる。
【００２４】
スピーカー１を設置する箇所に関しては、図２で図示したように、例えば、運転席５１側、助手席５２側、二列目シート５３にあっては、右後部座席側、左後部座席側の各ドアの内側に設置するのが望ましい。また、三列目シート５４にあっては、左右後方に設置する例も挙げられる。その他、例えば、各座席付近の天井面に天吊りタイプのサテライトスピーカーを設置してもよいし、また、天井面にスピーカー１を埋め込んでもよい。
【００２５】
スピーカー１の種類としては、どのような種類のものであってもよい。例えば、全てのスピーカー１が全帯域用のフルレンジスピーカーであってもよいし、各スピーカー１が特定範囲の周波数に特化したような、超低音域用のサブウーファー、低音域用のウーファー、中低音域用のミッドバス、中音域用のスコーカー、高音域用のツイーター、超高音域用のスーパーツイーターであってもよい。また、スピーカー１の数も問わない。図２、図３ではスピーカー１の数は６個であるが、これ以上であってもこれ以下であってもよい。
【００２６】
スピーカー１とヘッドユニット１０との間は、有線接続による有線通信とする。したがって、ヘッドユニット１０（ＡＶアンプ）からスピーカー１へ音声信号の送信がなされる。
【００２７】
上述したように、本発明は、一例として車両５０の室内における音響システムを想定しているため、車載用音響機器について説明する。
【００２８】
車載用音響機器として、ヘッドユニット１０といわれる音響機器が知られている。このヘッドユニット１０は、音源再生、ボリュームを含め実際に操作を行う音響機器本体であり、例えばチューナや、図４で図示するように所定の記録媒体に対応した再生装置などの音響装置が搭載されて、これらの音響装置から出力されたオーディオ信号をＡＶアンプで増幅してスピーカーによって音声として出力できる。また、これらの音響装置を統括的にコントロールするための操作パネル、及びまたその動作状況を表示するための表示部が備えられている。その他、ＥＱ（イコライザー）や、ミキサー等も搭載されるものもある。
【００２９】
ヘッドユニット１０には、複数のオーディオソース（音源）を有しており、ユーザーが選択したオーディオソースからのアナログ音声信号もしくはデジタル音声信号を変換、増幅してスピーカー１等の音声出力部から音声として出力する。オーディオソース（音源）としては、例えば、ＦＭチューナ、ＡＭチューナ、ＣＤプレーヤ、ＭＤプレーヤ、磁気カセットデッキ、ＡＵＸ端子、更には、ＤＶＤプレーヤやハードディスクドライブ、ＴＶチューナなどの音声信号出力が挙げられる。
【００３０】
このように、ヘッドユニット１０（ＡＶアンプ）には、複数のオーディオソースに対応する複数のチャンネルを備えており、ヘッドユニット１０に搭載されているミキサーを使用することによってこれら複数のチャンネルをミキシングすることができる。したがって、例えば、ＣＤプレーヤで音楽を再生し、その音楽に合わせて楽器１００を演奏することができる。また、複数人で電子鍵盤楽器等の楽器１００を演奏する際、音程をユニゾンさせて楽しむことができる。
【００３１】
その他、図２で図示したように、二列目シート５３側に向けてモニタ２０が配設されている。このモニタ２０に各スピーカー１の音量バランス、及び／又は、ＥＱ調整等に関する情報が表示され、このモニタ２０を介して各スピーカー１の音量バランス、及び／又は、ＥＱ調整等を行うことができる。
このモニタ２０は、ヘッドユニット１０と接続されるが、この接続は各種ケーブル等による有線通信としている。したがって、ヘッドユニット１０（ＡＶアンプ）からモニタ２０へ映像信号の送信がなされる。
【００３２】
本発明は、音場制御装置１１０を使用して各スピーカー１の適切な音量バランス、及び／又は、ＥＱ調整等を自動で行うものであるため、音場制御装置に関する説明をする。
【００３３】
楽器１００には、音出力機能１０４を設けており、この音出力機能１０４からの信号がヘッドユニット１０に送信入力され、そして、ＡＶアンプで信号を増幅して、ヘッドユニット１０と接続する各スピーカー１からテスト音が放音される。すなわち、楽器１００は、ヘッドユニット１０（ＡＶアンプ）を介して複数のスピーカー１に対してオーディオ信号を供給する。
【００３４】
本発明に係るテスト音は、測定信号としてインパルス応答が得られるようなものであれば、インパルス音に限定されない。例えば、テスト音信号は、ＴＳＰ（Time Stretched Pulse）信号、チャープ信号、Ｍ系列信号などであってもよい。
【００３５】
また、楽器１００には、図示しないマイクを設けている。そして、このマイクによって各スピーカー１からのテスト音を収音する。マイクは、ステレオタイプであってもよいし、モノラルタイプであってもよい。マイクを設ける位置に関しては、特に限定されないが、モノラルタイプの場合は楽器１００の中央付近、ステレオタイプの場合は楽器１００の両側に設けるのが望ましい。
【００３６】
演奏者の位置（テスト音の聴取位置）にマイクを設けた楽器１００を設置し、各スピーカー１から順次テスト音声を出力し、このテスト音声をマイクで収音する。
【００３７】
そして、複数のスピーカー１の各々について音響レベルを測定する測定手段１０２において各種測定が行われる。具体的には、測定手段１０２においてテスト音声信号等を解析し、スピーカー１から直接マイクに到来する音声成分である直接音成分、ガラス窓等に反射してマイクに到来する音声成分である間接音成分それぞれの音声信号の大きさ、周波数特性を計算する。
【００３８】
測定手段１０２で測定された後は、この測定手段１０２から音場生成部１０３へ信号が入力され、音場生成部１０３において各スピーカー１の適切な音量バランス、及び／又は、ＥＱ調整等を自動で行う。
【００３９】
そして、音場生成部１０３において適切な音量バランス、及び／又は、ＥＱ調整等がなされた後は、音源データ信号等をＡＶアンプで増幅して、ヘッドユニット１０と接続する各スピーカー１から適正な音量バランスで放音される。すなわち、楽器１００のある位置において最適な音の設定となるように楽器１００の音出力機能１０４の音出力の音量バランス、及び／又は、ＥＱ調整を行う。
【００４０】
ここでは、測定手段１０２、音場生成部１０３を楽器１００に備えた例について説明したが、測定手段１０２、音場生成部１０３をヘッドユニット１０に備える例も考えられる。
【００４１】
次に、音データの送信について説明する。ここでは、音データを、例えば、ＭＩＤＩ（Musical Instruments Digital Interface  登録商標。以下、ＭＩＤＩについて登録商標という付記を省略する）形式のデータ（以下「ＭＩＤＩデータ」という）を無線送信する場合を想定している。本発明の実施形態のシステム構成を示すと、例えば、ＭＩＤＩ機器→演奏データ送信装置→演奏データ受信装置→ＭＩＤＩ機器となる。以下、ＭＩＤＩデータの送信について説明する。
【００４２】
ＭＩＤＩ機器としては、電子鍵盤楽器等の楽器１００であり、演奏者の演奏操作に応じてＭＩＤＩ形式で記述されたデータ（以下「ＭＩＤＩデータ」）を生成する。ＭＩＤＩ機器は、ＭＩＤＩデータを出力するためのＭＩＤＩ出力端子のジャック（不図示）を備えており、このジャックに接続された外部機器に対して生成したＭＩＤＩデータを出力する。この実施形態では、ＭＩＤＩ機器のジャックには演奏データ送信装置のプラグ（不図示）が接続される。
【００４３】
演奏データ送信装置（不図示）は、例えば楽器１００などで構成されるＭＩＤＩ機器から出力されるＭＩＤＩデータを無線通信によって演奏データ受信装置に送信する。演奏データ送信装置は、主に楽器１００に内包されるものであり、ＭＩＤＩ機器と演奏データ受信装置は一体である。
【００４４】
演奏データ受信装置（不図示）は、演奏データ送信装置から送信されてくるＭＩＤＩデータを受信し、受信したＭＩＤＩデータを例えば楽器１００等で構成される音源を有するＭＩＤＩ機器に出力する。
【００４５】
音源を有するＭＩＤＩ機器は、ＭＩＤＩデータが入力されるＭＩＤＩ入力端子のジャック（不図示）を備えており、このＭＩＤＩ入力端子に入力されたＭＩＤＩデータに応じて放音する。この実施形態では、音源を有するＭＩＤＩ機器のジャックには演奏データ受信装置のプラグ（不図示）が接続される。演奏データ受信装置は、主にＭＩＤＩ機器に内包されるものであり、演奏データ受信装置とＭＩＤＩ機器は一体である。ここで、ＭＩＤＩ機器とは、タブレット端末１５が該当する。なお、このタブレット端末１５は、インターネットに接続された所定のサーバ（図示せず）から、所定のアプリケーションソフトをダウンロードすることが可能である。
【００４６】
図３で図示するように、モニタ２０とヘッドユニット１０は有線ケーブル等で接続される。この有線ケーブルとしては、例えば、映像信号とオーディオ信号とを伝送するＨＤＭＩ（High-Definition Multimedia Interface  登録商標）ケーブル等が挙げられる。
【００４７】
楽器１００とタブレット端末１５との間は無線接続による無線通信とする。
タブレット端末１５とヘッドユニット１０との間は有線接続による有線通信とする。
スピーカーとヘッドユニット１０との間は有線接続による有線通信とする。
ヘッドユニット１０とモニタ２０との間は有線接続による有線通信としているが、
本発明の効果を奏するものであれば、楽器１００からヘッドユニットへの通信を有線とする。
【００４８】
次に図３のフローチャートを用いて、本実施形態の音場制御装置１１０の一例である音場測定機能の動作手順について説明する。
【００４９】
Ｓ１では、マイク（楽器１００）を設置するように誘導する表示を表示部に出力する。例えば、ヘッドユニット１０やタブレット端末１５等の表示部に「プレイポジションに楽器をセットしてください。」と表示する。
Ｓ２では、楽器１００をセットしたことを確認する確認操作が操作部から行われたか判断する。この操作がない限りＳ２の判断はＮとなり待機する。Ｙとなれば、次に進む。
【００５０】
Ｓ３では、各スピーカー１に対応する各チャンネルの中から順次１チャンネルを選択し、選択したチャンネルにテスト音声を入力して各チャンネルのスピーカー１からテスト音声を発生させる。
Ｓ４では、マイクで収音したテスト音声の応答信号を記憶する。
以上のＳ３〜Ｓ４をスピーカー１ごとに繰り返して各スピーカー１方向の応答信号を採取する。
【００５１】
図３の例では、以下のＳ５、Ｓ６とＳ７、Ｓ８を並列に実行する。
【００５２】
Ｓ５では、記憶した応答信号のうち直接音成分のレベルを測定する。Ｓ６では、記憶した応答信号のうち直接音成分の周波数特性を測定する。Ｓ７では、記憶した応答信号のうち間接音成分のレベルを測定する。
【００５３】
Ｓ８では、記憶した応答信号のうち間接音成分の周波数特性を測定して周波数特性を計算する。この計算は各スピーカー１について行う。
【００５４】
Ｓ９では、Ｓ５〜Ｓ８で計算した値をそれぞれ１セットにしてパラメータとして格納する。さらに、直接音成分と間接音成分のレベルの比を求めて、この比率をチャンネルごとに格納する。
【００５５】
なお、以上のＳ５〜Ｓ８は、いずれを先に行なってもよく、スピーカー１ごとに計算を行なってもよい。また、Ｓ３、Ｓ４だけでなく、Ｓ３〜Ｓ８までのステップ全体をスピーカー１ごとに計算を繰り返して行なってもよい。
【００５６】
以上のステップを行い、車両５０の室内のスピーカーの接続、位相確認、スピーカー１の大きさ、スピーカー１の距離、各チャンネルの音量、周波数特性等を測定することによって最適な音の設定となるように各スピーカー１の音量バランス、及び／又は、ＥＱ調整を自動で行うことによって演奏者にとって聴きやすい音で再生される。
【００５７】
また、本発明の楽器を用いた音響方法としては、下記のようになる。
第一出力ステップでは、楽器１００に設けた音出力機能からＡＶアンプ（ヘッドユニット１０）に信号を出力する。
第一受信ステップでは、ＡＶアンプ（ヘッドユニット１０）で信号を受信する。
第二出力ステップでは、ＡＶアンプ（ヘッドユニット１０）からスピーカー１にオーディオ信号を出力する。
測定ステップでは、楽器で複数のスピーカー１の各々について音響レベルを測定する。
そして、この楽器１００において、音出力機能１０４によるスピーカー１からの音に対するマイクへの入力に応じて、楽器１００のある位置において最適な音の設定となるように楽器１００の音出力機能１０４の音出力の音量バランス、及び／又は、ＥＱ調整を行う。
【００５８】
尚、本発明は、上記説明した実施形態により限定されるものではなく、本発明の要旨を逸脱しない範囲内で種々の改良、変形が可能であることは勿論である。
電子鍵盤楽器は楽器１００の一例であり、その他の電子楽器であっても、室内で演奏するのに適していれば本発明の範疇となる。
音響空間である車両５０の室内は一例であり、車両５０の室内他の、例えば、リビングルーム、会議室、音響ルーム、スタジオ、音楽教室、音楽室等のような室内であってもよい。また、ＡＶアンプはアンプの一例である。
【００５９】
楽器１００とタブレット端末１５との間は無線接続による無線通信としているが、これは一例であり、有線接続による有線通信でも可能である。
タブレット端末１５とヘッドユニット１０との間は有線接続による有線通信としているが、これは一例であり、ブルートゥース（登録商標。以下、ブルートゥースについて登録商標という付記を省略する）等の無線接続による無線通信でも可能である。
スピーカー１とヘッドユニット１０との間は、有線接続による有線通信としているが、これは一例であり、ブルートゥース等の無線接続による無線通信も可能である。
モニタ２０とヘッドユニット１０との間は、有線接続により有線通信としているが、これは一例であり、ブルートゥース等の無線接続による無線通信であってもよい。
【００６０】
音源に関しては、楽器１００、ＡＶアンプ、ヘッドユニット１０、後述するタブレット端末１５等のうちいずれか一以上に備える。また、ＭＩＤＩデータを発生させて出力するＭＩＤＩデータ発生器、発生されたＭＩＤＩデータに基づいてデジタル音声信号を生成して出力する音源回路等を備えた音源ボックスにおいても音源が備わることとなる。この音源ボックスを各種音響装置と接続することによって、音源を発生させ送信させることができる。テスト音声発生に関し、例えば、音源が楽器１００以外にあるような場合には、その音源は特定のシステムエクスクルーシブメッセージに応じてテスト音声を発生できるようになっているとよい。なお、音源ボックスにミキサーを搭載する構成であってもよい。
【００６１】
イコライザーや音源ボックス等に関しては、ヘッドユニット１０に内蔵されるタイプであってもよいし、また、後付けタイプのものであってもよい。
タブレット端末１５を介さずに、楽器１００から直接ヘッドユニット１０へ送信する構成であってもよい。
専用音は、オーディオとして楽器から出力される場合の他、ＡＶアンプ等に搭載された調整用音であってもよい。
また、各スピーカー１の音量バランスや、ＥＱ調整等をリモートコントローラーで調整する構成であってもよい。
【符号の説明】
【００６２】
１            スピ−カー
１０          ヘッドユニット
１５          タブレット端末
２０          モニタ
５０          車両
１００        楽器
１０１        筐体
１０２        測定手段
１０３        音場生成部
１０４        音出力機能
１１０        音場制御装置
【図１】
2018010119.tif 000003
【図２】
2018010119.tif 000004
【図３】
2018010119.tif 000005
【図４】
2018010119.tif 000006
【図５】
2018010119.tif 000007